(57)【特許請求の範囲】
【請求項１】
廃棄物を乾留熱分解する乾留熱分解ドラムから排出された熱分解ガスを溶融燃焼炉へ導く熱分解ガスダクトに、その内壁面に付着・堆積した付着物や堆積物を熱分解ガスダクト外へ除去するダスト掻き落とし装置を設け、又、熱分解ガスダクト側若しくはダスト掻き落とし装置側の何れか一方若しくは両方に、ダクト内へ媒体を吹き込んでダスト掻き落とし装置により掻き落とした付着物や内部に堆積している堆積物を熱分解ガスダクト外へ移送する媒体吹き込み装置を設けた熱分解ガスダクトの清掃装置であって、前記熱分解ガスダクトを、熱分解ドラムから排出された熱分解ガス及び熱分解残渣を熱分解ガスと熱分解残渣とに分離して排出する搬出装置に垂直姿勢で接続された煙突型の垂直ダクトと、垂直ダクトに下流側が高くなる傾斜姿勢で接続された上流側傾斜ダクトと、上流側傾斜ダクト及び溶融燃焼炉に下流側が低くなる傾斜姿勢で接続された下流側傾斜ダクトとから構成し、又、前記ダスト掻き落とし装置を、ダクト内にその内壁面に内接する状態で回転自在且つ往復動自在に配設され、前面にダクトの内壁面に付着した付着物を掻き落とす複数の爪を備えると共に掻き落とした付着物、堆積物及び熱分解ガスが通過可能な開口を備えた円板状を呈し、付着物やダクト内に堆積している堆積物をタクト外へ移送する掻き落とし体と、掻き落とし体をダクト内で回転させながらダクトの長手方向に沿って往復動させる駆動装置とから構成し、当該ダスト掻き落とし装置を熱分解ガスダクトの上流側傾斜ダクト及び下流側傾斜ダクトに夫々設けたことを特徴とする熱分解ガスダクトの清掃装置。
【請求項２】
廃棄物を乾留熱分解する乾留熱分解ドラムから排出された熱分解ガスを溶融燃焼炉へ導く熱分解ガスダクトに、その内壁面に付着・堆積した付着物や堆積物を熱分解ガスダクト外へ除去するダスト掻き落とし装置を設け、又、熱分解ガスダクト側若しくはダスト掻き落とし装置側の何れか一方若しくは両方に、ダクト内へ媒体を吹き込んでダスト掻き落とし装置により掻き落とした付着物や内部に堆積している堆積物を熱分解ガスダクト外へ移送する媒体吹き込み装置を設けた熱分解ガスダクトの清掃装置であって、前記熱分解ガスダクトを、熱分解ドラムから排出された熱分解ガス及び熱分解残渣を熱分解ガスと熱分解残渣とに分離して排出する搬出装置に垂直姿勢で接続された煙突型の垂直ダクトと、垂直ダクト及び溶融燃焼炉に水平姿勢で接続された水平ダクトとから構成し又、前記ダスト掻き落とし装置を、ダクト内にその内壁面に内接する状態で回転自在且つ往復動自在に配設され、前面にダクトの内壁面に付着した付着物を掻き落とす複数の爪を備えると共に掻き落とした付着物、堆積物及び熱分解ガスが通過可能な開口を備えた円板状を呈し、付着物やダクト内に堆積している堆積物をタクト外へ移送する掻き落とし体と、掻き落とし体をダクト内で回転させながらダクトの長手方向に沿って往復動させる駆動装置とから構成し、当該ダスト掻き落とし装置を熱分解ガスダクトの水平ダクトに設けたことを特徴とする熱分解ガスダクトの清掃装置。
【発明の詳細な説明】
【０００１】
【発明の属する技術分野】
本発明は、都市ごみ等の廃棄物の乾留熱分解溶融燃焼装置に用いられるものであり、乾留熱分解ドラムで発生した熱分解ガスを溶融燃焼炉へ導く熱分解ガスダクトに設けられ、熱分解ガス中のダストやタール成分等が熱分解ガスダクト内へ付着・堆積して熱分解ガスダクトを閉塞するのを防止できるようにした熱分解ガスダクトの清掃装置に関するものである。
【０００２】
【従来の技術】
図７は従前の廃棄物の乾留熱分解溶融燃焼装置の一例を示すものであり、図７に於いて、２５は廃棄物ピット、２６は供給装置、２７は乾留熱分解ドラム、２８は加熱管、２９は搬出装置、３０は熱分解ガスダクト、３１は溶融燃焼炉、３２は廃熱ボイラ、３３は集塵器、３４はガス浄化装置、３５は誘引ファン、３６は煙突、３７は蒸気加熱器、３８は蒸気タービン発電装置、３９は冷却コンベヤ、４０は選別装置、４１は粉砕装置、４２は可燃性微粉貯留槽、４３は送風機、４４は熱風発生炉、４５は加熱ガス通路、４６は循環ファン、４７は熱交換器、４８はバーナ、４９は廃棄物供給用クレーンである。
【０００３】
而して、供給装置２６により乾留熱分解ドラム２７内へ供給された廃棄物Ｗは、加熱ガスＧ″により空気の遮断下で３００℃〜６００℃の温度に一定時間加熱され、熱分解ガスＧと熱分解残渣Ｄに変換された後、搬出装置２９に於いて重力により熱分解ガスＧと熱分解残渣Ｄとに分離される。
【０００４】
分離された熱分解ガスＧは、搬出装置２９から熱分解ガスダクト３０を経て溶融燃焼炉３１へ送られ、ここで高温燃焼される。又、熱分解残渣Ｄは、冷却コンベヤ３９を経て選別装置４０へ送られ、比較的粗い不燃性固形物と細かい可燃性固形物Ｄ′とに分離される。更に、分離された可燃性固形物Ｄ′は、粉砕装置４１で微粉砕された後、溶融燃焼炉３１へ供給されて前記熱分解ガスＧと共に１３００℃以上の温度下で溶融燃焼される。
【０００５】
前記乾留熱分解ドラム２７及び溶融燃焼炉３１の内部は誘引ファン３５により適宜の負圧に保持されて居り、これによって熱分解ガスＧが乾留熱分解ドラム２７から溶融燃焼炉３１へ送られると共に、溶融燃焼炉３１からの燃焼排ガスＧ′が廃熱ボイラ３２、集塵器３３、ガス浄化装置３４及び煙突３６を経て大気中へ排出されて行く。
尚、溶融燃焼炉３１内で形成された溶融スラグＦは、水砕スラグとして順次外部へ取り出されて行く。
【０００６】
【発明が解決しようとする課題】
上述した廃棄物の乾留熱分解溶融燃焼装置は、大量の都市ごみ等の廃棄物Ｗを高能率で安全に溶融処理することができ、優れた実用的効用を奏するものである。
しかし、この種の乾留熱分解溶融燃焼装置にも解決すべき問題が残されて居り、その中でも、乾留熱分解ドラム２７から溶融燃焼炉３１へ熱分解ガスＧを導く熱分解ガスダクト３０内に付着・堆積するダスト等の問題が、早急に解決を要する問題点となっている。
【０００７】
即ち、乾留熱分解ドラム２７の出口側に設けた搬出装置２９に於いて分離された熱分解ガスＧ内には、多量のダスト（５〜１０ｇ／Ｎｍ3 ）等の固形物が含まれて居り、これ等のダストが長期間に亘って熱分解ガスダクト３０内に付着・堆積することにより、熱分解ガスＧの円滑な流通が阻害されることになる。
又、熱分解ガスＧ内には、所謂タール成分が多量に含まれて居り、熱分解ガスＧの温度がタール成分の凝固温度（約４３０〜４５０℃）より低くなると、タール成分が熱分解ガスダクト３０の内壁面に凝固することになり、前記ダスト等の付着・堆積が一層促進されることになる。
【０００８】
そこで、上述の如きダスト等の付着・堆積に起因するトラブルを防止する為、図７に示すように熱分解ガスダクト３０の形状を極力水平部の少ない形状とし、熱分解ガスダクト３０内にダスト等が付着・堆積し難くする方法や、熱分解ガスダクト３０を電気ヒータ（図示省略）により常時４５０℃〜５００℃に加熱し、熱分解ガスダクト３０へのタール成分の凝固を少なくする方法等が採用されている。
【０００９】
しかし、現実の乾留熱分解溶融燃焼装置の運転に於いては、熱分解ガスダクト３０内に於けるダスト等の付着・堆積を皆無にすることは不可能であり、熱分解ガスダクト３０の曲がり部等にダスト等が堆積することがある。この場合には、乾留熱分解溶融燃焼装置の運転を一旦停止し、作業員がマンホール等から熱分解ガスダクト３０内に堆積したダスト等を除去するようにしている。
その結果、乾留熱分解溶融燃焼装置の運転が中断されることになり、廃棄物処理量の低下やエネルギー消費量の増大を招くと云う難点がある。
【００１０】
本発明は、従前の乾留熱分解溶融燃焼装置の熱分解ガスダクトに於ける上述の如き問題を解決せんとするものであり、乾留熱分解ドラムで発生した熱分解ガスを溶融燃焼炉へ導く熱分解ガスダクト内にダスト等が付着・堆積して熱分解ガスダクトを閉塞するのを防止できるようにした熱分解ガスダクトの清掃装置を提供するものである。
【００１１】
【課題を解決するための手段】
上記目的を達成するために、本発明の請求項１の発明は、廃棄物を乾留熱分解する乾留熱分解ドラムから排出された熱分解ガスを溶融燃焼炉へ導く熱分解ガスダクトに、その内壁面に付着・堆積した付着物や堆積物を熱分解ガスダクト外へ除去するダスト掻き落とし装置を設け、又、熱分解ガスダクト側若しくはダスト掻き落とし装置側の何れか一方若しくは両方に、ダクト内へ媒体を吹き込んでダスト掻き落とし装置により掻き落とした付着物や内部に堆積している堆積物を熱分解ガスダクト外へ移送する媒体吹き込み装置を設けた熱分解ガスダクトの清掃装置であって、前記熱分解ガスダクトを、熱分解ドラムから排出された熱分解ガス及び熱分解残渣を熱分解ガスと熱分解残渣とに分離して排出する搬出装置に垂直姿勢で接続された煙突型の垂直ダクトと、垂直ダクトに下流側が高くなる傾斜姿勢で接続された上流側傾斜ダクトと、上流側傾斜ダクト及び溶融燃焼炉に下流側が低くなる傾斜姿勢で接続された下流側傾斜ダクトとから構成し、又、前記ダスト掻き落とし装置を、ダクト内にその内壁面に内接する状態で回転自在且つ往復動自在に配設され、前面にダクトの内壁面に付着した付着物を掻き落とす複数の爪を備えると共に掻き落とした付着物、堆積物及び熱分解ガスが通過可能な開口を備えた円板状を呈し、付着物やダクト内に堆積している堆積物をタクト外へ移送する掻き落とし体と、掻き落とし体をダクト内で回転させながらダクトの長手方向に沿って往復動させる駆動装置とから構成し、当該ダスト掻き落とし装置を熱分解ガスダクトの上流側傾斜ダクト及び下流側傾斜ダクトに夫々設けたことを特徴とするものである。
【００１２】
本発明の請求項２の発明は、廃棄物を乾留熱分解する乾留熱分解ドラムから排出された熱分解ガスを溶融燃焼炉へ導く熱分解ガスダクトに、その内壁面に付着・堆積した付着物や堆積物を熱分解ガスダクト外へ除去するダスト掻き落とし装置を設け、又、熱分解ガスダクト側若しくはダスト掻き落とし装置側の何れか一方若しくは両方に、ダクト内へ媒体を吹き込んでダスト掻き落とし装置により掻き落とした付着物や内部に堆積している堆積物を熱分解ガスダクト外へ移送する媒体吹き込み装置を設けた熱分解ガスダクトの清掃装置であって、前記熱分解ガスダクトを、熱分解ドラムから排出された熱分解ガス及び熱分解残渣を熱分解ガスと熱分解残渣とに分離して排出する搬出装置に垂直姿勢で接続された煙突型の垂直ダクトと、垂直ダクト及び溶融燃焼炉に水平姿勢で接続された水平ダクトとから構成し又、前記ダスト掻き落とし装置を、ダクト内にその内壁面に内接する状態で回転自在且つ往復動自在に配設され、前面にダクトの内壁面に付着した付着物を掻き落とす複数の爪を備えると共に掻き落とした付着物、堆積物及び熱分解ガスが通過可能な開口を備えた円板状を呈し、付着物やダクト内に堆積している堆積物をタクト外へ移送する掻き落とし体と、掻き落とし体をダクト内で回転させながらダクトの長手方向に沿って往復動させる駆動装置とから構成し、当該ダスト掻き落とし装置を熱分解ガスダクトの水平ダクトに設けたことを特徴とするものである。
【００１５】
【発明の実施の形態】
以下、本発明の実施の形態を図面に基づいて詳細に説明する。
図１は本発明の第１の実施の形態に係る熱分解ガスダクトの清掃装置１を示し、当該清掃装置１は、熱分解ドラム２の出口側に設けた搬出装置３と溶融燃焼炉４とを連通状に接続する熱分解ガスダクト５に、その内壁面に付着・堆積したダスト等の付着物Ａや堆積物Ａを熱分解ガスダクト５外へ除去するダスト掻き落とし装置６を設け、又、熱分解ガスダクト５側及びダスト掻き落とし装置６側に、熱分解ガスダクト５内の付着物Ａや堆積物Ａを熱分解ガスダクト５外へ移送する媒体吹き込み装置７を夫々設けたものであり、ダスト掻き落とし装置６及び媒体吹き込み装置７を作動させることによって、熱分解ガスダクト５内の付着物Ａや堆積物Ａを熱分解ガスダクト５外へ除去して熱分解ガスダクト５の閉塞を防止するようにしたものである。
【００１６】
尚、熱分解ドラム２は、都市ごみ等の廃棄物を乾留熱分解して熱分解ガスＧと熱分解残渣Ｄにするものであり、又、搬出装置３は、熱分解ドラム２から排出された熱分解ガスＧ及び熱分解残渣Ｄを重力により熱分解ガスＧと熱分解残渣Ｄとに分離して排出するものであり、更に、溶融燃焼炉４は、熱分解ガスＧや熱分解残渣Ｄから分離された可燃性固形物等を溶融燃焼するものであり、これらは図７に示す乾留熱分解溶融燃焼装置の乾留熱分解ドラム２７、搬出装置２９及び溶融燃焼炉３１と同様構造に構成されている。
【００１７】
前記熱分解ガスダクト５は、熱分解ドラム２から排出されて搬出装置３により分離された熱分解ガスＧを溶融燃焼炉４へ導くものであり、図１及び図２に示す如く、搬出装置３に垂直姿勢で接続され、上端が閉塞された断面形状円形の垂直ダクト５ａと、垂直ダクト５ａの上端部に下流側（図２の左側）が高くなる傾斜姿勢で接続され、下流側端が閉塞された断面形状円形の上流側傾斜ダクト５ｂと、上流側傾斜ダクト５ｂの下流側部分及び溶融燃焼炉４に下流側（図２の左側）が低くなる傾斜姿勢で夫々接続され、上流側端が閉塞された断面形状円形の下流側傾斜ダクト５ｃとから構成されている。
又、垂直ダクト５ａは、上流側傾斜ダクト５ｂ及び下流側傾斜ダクト５ｃよりもかなり大径の煙突型に形成されて居り、仮え内部にダスト等が付着しても閉塞しない構造となっている。
更に、上流側傾斜ダクト５ｂと下流側傾斜ダクト５ｃとは、略Ｘ状に交差する姿勢でもって接続されて居り、上流側傾斜ダクト５ｂの下流側端部及び下流側傾斜ダクト５ｃの上流側端部には後述するダスト掻き落とし装置６の掻き落とし体８が収納される収納空間５ｄが夫々形成されている。
【００１８】
尚、熱分解ガスダクト５は、従来の熱分解ガスダクト５と同様に電気ヒータ（図示省略）により常時４５０℃〜５００℃に加熱されて居り、熱分解ガスダクト５内のタール成分が凝固しないように工夫されている。
【００１９】
前記ダスト掻き落とし装置６は、熱分解ガスダクト５の上流側傾斜ダクト５ｂ及び下流側傾斜ダクト５ｃに夫々設けられて居り、ダクト５ｂ，５ｃの内壁面に付着した付着物Ａを掻き落とすと共に掻き落とした付着物Ａやダクト５ｂ，５ｃ内に堆積している堆積物Ａをダクト５ｂ，５ｃ外へ移送するものである。
【００２０】
即ち、各ダスト掻き落とし装置６は、図２及び図３に示す如く、ダクト５ｂ，５ｃ内に摺動自在且つ回転自在に配設され、ダクト５ｂ，５ｃの内壁面に付着した付着物Ａを掻き落とすと共に掻き落とした付着物Ａやダクト５ｂ，５ｃ内に堆積している堆積物Ａをダクト５ｂ，５ｃ外へ移送する熱分解ガスＧが通過可能な掻き落とし体８と、掻き落とし体８をダクト５ｂ，５ｃ内で回転させながらダクト５ｂ，５ｃの長手方向に沿って往復動させる駆動装置９とから夫々構成されている。
【００２１】
具体的には、掻き落とし体８は、耐熱性・耐摩耗性等に優れた金属材やセラミック材等により上流側傾斜ダクト５ｂ及び下流側傾斜ダクト５ｃの内壁面に内接する厚肉の円板状に形成されて居り、その外周部分には図５に示すように熱分解ガスＧが通過可能な複数の扇形状の開口８ａが環状に並ぶ状態で形成されている。
又、掻き落とし体８の前面には、ダクト５ｂ，５ｃの内壁面に付着しているダクト５ｂ，５ｃ等の付着物Ａを破砕して掻き落とす爪８ｂが複数個設けられている。
そして、掻き落とし体８は、上流側傾斜ダクト５ｂ内及び下流側傾斜ダクト５ｃ内にその内壁面に内接する状態で回転自在且つ往復動自在に配設されて居り、乾留熱分解溶融燃焼装置の通常運転時には各ダクト５ｂ，５ｃ内に位置する掻き落とし体８は各ダクト５ｂ，５ｃの収納空間５ｄ内へ夫々収納された格好になっている。
【００２２】
一方、駆動装置９は、図３に示す如く、架台１０上にダクト５ｂ，５ｃの軸線に沿う姿勢で回転自在に配設されたネジ軸１１と、ネジ軸１１に回り止めされた状態で螺挿されたナット部１２ａを備え、ネジ軸１１に沿って往復動可能な走行台１２と、ダクト５ｂ，５ｃの軸線位置で且つ走行台１２に回転自在に支持され、ダクト５ｂ，５ｃの側端を閉塞する蓋体５ｅに気密状で且つ摺動自在に貫通支持されていると共に、先端部が掻き落とし体８の中心部に連結固定された中空状のロッド１３と、走行台１２とロッド１３との間に介設され、ロッド１３を正逆回転させるモータ１４及びチェーン伝動機構１５と、ネジ軸１１を正逆回転させて走行台１２及びロッド１３をダクト５ｂ，５ｃの軸線に沿って往復動させる正逆式のモータ１６及びチェーン伝動機構１７とから構成されて居り、各モータ１４，１６を起動することによって、ロッド１３が回転しながらダクト５ｂ，５ｃの軸線に沿って往復動するようになっている。
従って、ロッド１３の先端に連結固定した掻き落とし体８は、ダクト５ｂ，５ｃ内で回転しながらダクト５ｂ，５ｃ内を往復動することになる。
又、ロッド１３とダクト５ｂ，５ｃの蓋体５ｅとの間には、ダクト５ｂ，５ｃ内の熱分解ガスＧがダクト５ｂ，５ｃ外へ漏洩しないようにシール機構１８が介設されている。
【００２３】
尚、掻き落とし体８のストロークは、掻き落とし体８がダクト５ｂ，５ｃの収納空間５ｄ内へ位置する収納位置（図２及び図３の実線位置）と、掻き落とし体８が掻き落とした付着物Ａやダクト５ｂ，５ｃ内に堆積している堆積物Ａをダクト５ｂ，５ｃ外へ排出し得る排出位置（図２及び図３の一点鎖線位置）とを取り得るように設定されている。
又、上流側傾斜ダクト５ｂのダスト掻き落とし装置６と下流側傾斜ダクト５ｃのダスト掻き落とし装置６は、互いに干渉せず、ある一定の間隔を保持しながら定期的に作動するように駆動制御されている。
【００２４】
前記媒体吹き込み装置７は、上流側傾斜ダクト５ｂと下流側傾斜ダクト５ｃのダスト掻き落とし装置６とに夫々設けられて居り、ダクト５ｂ，５ｃ内へ媒体Ｓを吹き込んでダスト掻き落とし装置６により掻き落とした付着物Ａや内部に堆積している堆積物Ａをダクト５ｂ，５ｃの下流側へ吹き飛ばして溶融燃焼炉４側へ移送するものである。この媒体吹き込み装置７には、ダクト５ｂ，５ｃ内へ媒体Ｓとして蒸気を吹き込むスートブロワが使用されている。
【００２５】
即ち、上流側傾斜ダクト５ｂに設けた媒体吹き込み装置７は、上流側傾斜ダクト５ｂの上流側端部の開口に配置された蒸気吹き込みノズル１９と、蒸気吹き込みノズル１９及び溶融燃焼炉４の下流側に接続した廃熱ボイラ２０内の蒸気加熱器２１に夫々接続され、蒸気吹き込みノズル１９に蒸気（媒体Ｓ）を供給する蒸気供給管２２と、蒸気供給管２２に介設され、蒸気吹き込みノズル１９への蒸気の供給量を制御する制御弁２３等から構成されて居り、蒸気吹き込みノズル１９から上流側傾斜ダクト５ｂの上流側から下流側へ向って蒸気を吹き込むことによって、ダスト掻き落とし装置６により掻き落とした付着物Ａやダクト５ｂ，５ｃ内に堆積している堆積物Ａを下流側傾斜ダクト５ｃ内や溶融燃焼炉４内へ吹き飛ばすようになっている。
【００２６】
一方、下流側傾斜ダクト５ｃのダスト掻き落とし装置６に設けた媒体吹き込み装置７は、図４及び図５に示す如く、ダスト掻き落とし装置６の中空状のロッド１３の先端部周壁にロッド１３内へ連通するように設けられ、掻き落とし体８の各開口８ａに臨む複数の蒸気吹き込みノズル１９と、一端部がロッド１３内に挿入されると共に、他端部が廃熱ボイラ２０内の蒸気加熱器２１に接続され、蒸気吹き込みノズル１９に蒸気（媒体Ｓ）を供給する蒸気供給管２２と、蒸気供給管２２に介設され、蒸気吹き込みノズル１９への蒸気の供給量を制御する制御弁２３等から構成されて居り、蒸気吹き込みノズル１９から下流側傾斜ダクト５ｃの上流側から下流側へ向って蒸気を吹き込むことによって、ダスト掻き落とし装置６により掻き落とした付着物Ａやダクト５ｂ，５ｃ内に堆積している堆積物Ａを溶融燃焼炉４内へ吹き飛ばすようになっている。
又、蒸気供給管２２のロッド１３内に挿入されている部分は、ロッド１３が下流側傾斜ダクト５ｃ内を往復動した際にロッド１３から抜けないようになって居り、ロッド１３と蒸気供給管２２との間には、ロッド１３内の蒸気がロッド１３外へ漏洩しないようにシール機構２４が介設されている。
【００２７】
次に、上述した清掃装置１を用いて熱分解ガスダクト５内に付着・堆積した付着物Ａや堆積物Ａを熱分解ガスダクト５外へ除去する場合について説明する。
【００２８】
乾留熱分解溶融燃焼装置の運転を継続すると、熱分解ガスダクト５を構成する上流側傾斜ダクト５ｂや下流側傾斜ダクト５ｃの内壁面に熱分解ガスＧ中に含まれているダスト等が付着・堆積して付着物Ａや堆積物Ａとなる。この付着物Ａや堆積物Ａを除去する為、各傾斜ダクト５ｂ，５ｃに設けたダスト掻き落とし装置６と、上流側傾斜ダクト５ｂに設けた媒体吹き込み装置７と、下流側傾斜ダクト５ｃのダスト掻き落とし装置６に設けた媒体吹き込み装置７とが交互に且つ定期的に作動する。
【００２９】
先ず、上流側傾斜ダクト５ｂに設けたダスト掻き落とし装置６及び媒体吹き込み装置７が作動する。即ち、上流側傾斜ダクト５ｂの内壁面にダスト等が付着・堆積すると、上流側傾斜ダクト５ｂの収納位置にある掻き落とし体８が駆動装置９により回転しながら排出位置まで前進する。従って、上流側傾斜ダクト５ｂの内壁面に付着・堆積している付着物Ａや堆積物Ａは、上流側傾斜ダクト５ｂ内を回転・摺動しながら前進する掻き落とし体８の環状部分８ｃや爪８ｂにより掻き取られる。
又、ダスト掻き落とし装置６の作動に伴って、上流側傾斜ダクト５ｂの上流側端部の開口に設けた媒体吹き込み装置７の蒸気吹き込みノズル１９から上流側傾斜ダクト５ｂの上流側から下流側へ向って蒸気が吹き込まれる。これによって、掻き取られた付着物Ａや上流側傾斜ダクト５ｂ内に堆積している堆積物Ａは、上流側傾斜ダクト５ｂ内を下流側へ吹き飛ばされ、下流側傾斜ダクト５ｃ内や溶融燃焼炉４内へ移送される。
尚、掻き落とし体８は、複数の開口８ａを備えている為、上流側傾斜ダクト５ｂ内に位置していても、熱分解ガスＧや蒸気により吹き飛ばされた付着物Ａや堆積物Ａの流れを止めることがない。その結果、乾留熱分解溶融燃焼装置を運転しながら上流側傾斜ダクト５ｂ内に付着・堆積した付着物Ａや堆積物Ａを除去することができる。然も、掻き落とし体８は、その前面に複数の爪８ｂを備えている為、上流側傾斜ダクト５ｂ内に強固に付着している付着物Ａがあっても、これを簡単且つ容易に破砕して掻き落とすことができる。
【００３０】
そして、掻き落とし体８が排出位置まで移動したら、駆動装置９により掻き落とし体８が回転しながら排出位置から収納位置まで後退し、必要に応じて掻き落とし体８が上記動作を繰り返し行う。このとき、蒸気吹き込みノズル１９から上流側傾斜ダクト５ｂ内へ蒸気が吹き込まれていることは勿論である。従って、上流側傾斜ダクト５ｂ内に付着・堆積している付着物Ａや堆積物Ａは、完全に掻き落とされて上流側傾斜ダクト５ｂの下流側へ移送され、下流側傾斜ダクト５ｃ内や溶融燃焼炉４内へ送り込まれる。
【００３１】
ダスト掻き落とし装置６及び媒体吹き込み装置７が一定時間作動して上流側傾斜ダクト５ｂ内の付着物Ａや堆積物Ａが除去されたら、上流側傾斜ダクト５ｂに設けたダスト掻き落とし装置６及び媒体吹き込み装置７が作動を停止し（ダスト掻き落とし装置６のみが作動を停止しても良い）、引き続き下流側傾斜ダクト５ｃに設けたダスト掻き落とし装置６と媒体吹き込み装置７とが作動する。即ち、下流側傾斜ダクト５ｃの収納位置にある掻き落とし体８が駆動装置９により回転しながら排出位置へ前進する。従って、下流側傾斜ダクト５ｃの内壁面に付着・堆積している付着物Ａや堆積物Ａは、下流側傾斜ダクト５ｃ内を回転・摺動しながら前進する掻き落とし体８の環状部分８ｃや爪８ｂにより掻き取られつつ、下流側傾斜ダクト５ｃ内を上流側から下流側へ移送され、下流側傾斜ダクト５ｃの下流側端部から溶融燃焼炉４内へ送り込まれる。このとき、上流側傾斜ダクト５ｂから下流側傾斜ダクト５ｃ内へ送り込まれた付着物Ａや堆積物Ａも、掻き落とし体８により溶融燃焼炉４内へ送り込まれる。
又、ダスト掻き落とし装置６の作動に伴って、駆動装置９のロッド１３の先端部に設けた媒体吹き込み装置７の蒸気吹き込みノズル１９から下流側傾斜ダクト５ｃの上流側から下流側へ向って蒸気が吹き込まれる。これによって、掻き取られた付着物Ａや上流側傾斜ダクト５ｂ内に堆積している堆積物Ａは、下流側傾斜ダクト５ｃ内を下流側へ吹き飛ばされ、下流側傾斜ダクト５ｃの下流側端部から溶融燃焼炉４内へ送り込まれる。
尚、掻き落とし体８は、複数の開口８ａを備えている為、下流側傾斜ダクト５ｃ内に位置していても、熱分解ガスＧや蒸気により吹き飛ばされた付着物Ａや堆積物Ａの流れを止めることがない。その結果、乾留熱分解溶融燃焼装置を運転しながら下流側傾斜ダクト５ｃ内に付着・堆積した付着物Ａや堆積物Ａを除去することができる。然も、掻き落とし体８は、その前面に複数の爪８ｂを備えている為、下流側傾斜ダクト５ｃ内に強固に付着している付着物Ａがあっても、これを簡単且つ容易に破砕して掻き落とすことができる。又も、ロッド１３の先端部に蒸気吹き込みノズル１９を設けている為、掻き落とし体８の清掃も行われる。
【００３２】
そして、掻き落とし体８が排出位置まで移動したら、駆動装置９により掻き落とし体８が回転しながら排出位置から収納位置まで後退し、必要に応じて掻き落とし体８が上記動作を繰り返し行う。このとき、蒸気吹き込みノズル１９から下流側傾斜ダクト５ｃ内へ蒸気が吹き込まれていることは勿論である。従って、下流側傾斜ダクト５ｃ内に付着・堆積している付着物Ａや堆積物Ａは、完全に掻き落とされて下流側傾斜ダクト５ｃの下流側端部から溶融燃焼炉４内へ送り込まれる。
【００３３】
このように、前記清掃装置１は、熱分解ガスＧ中に含まれているダスト等が熱分解ガスダクト５内に付着・堆積しても、この付着物Ａや堆積物Ａを掻き落とし体８により除去できるようになっている為、付着物Ａや堆積物Ａによる熱分解ガスダクト５の閉塞を確実に防止することができる。然も、熱分解ガスダクト５内に蒸気吹き込みノズル１９から蒸気を吹き込んで掻き落とした付着物Ａや堆積物Ａを吹き飛ばすして下流側へ移送するようにしている為、熱分解ガスダクト５内の閉塞をより一層確実に防止することができる。
又、掻き落とし体８は、熱分解ガスＧや付着物Ａ等が通過可能な開口８ａを備えている為、熱分解ガスダクト５内に位置していても、熱分解ガスＧや付着物Ａ等の流れを止めることがない。その結果、乾留熱分解溶融燃焼装置４を運転しながら熱分解ガスダクト５内に付着・堆積した付着物Ａや堆積物Ａを除去することができる。
更に、熱分解ガスダクト５の垂直ダクト５ａは、上流側傾斜ダクト５ｂ及び下流側傾斜ダクト５ｃよりも可なり大径の煙突型に形成されている為、たとえ内部にダスト等が付着しても閉塞しないようになっている。然も、垂直ダクト５ａは、搬出装置３に垂直姿勢で接続されている為、ダスト等が堆積することもない。
【００３４】
図６は本発明の第２の実施の形態に係る熱分解ガスダクト５の清掃装置１を示し、当該清掃装置１は、熱分解ガスダクト５を、搬出装置３に垂直姿勢で接続された煙突型の垂直ダクト５ａと、垂直ダクト５ａ及び溶融燃焼炉４に水平姿勢で接続された水平ダクト５ｆとから構成し、水平ダクト５ｆにダスト掻き落とし装置６を設けると共に、このダスト掻き落とし装置６に媒体吹き込み装置７を設けたものである。
【００３５】
尚、ダスト掻き落とし装置６及び媒体吹き込み装置７は、上述した第１の実施の形態に係る清掃装置１の下流側傾斜ダクト５ｃに設けたダスト掻き落とし装置６及び媒体吹き込み装置７と全く同一構造に構成されて居り、図２に示すものと同じ部材・部位には同一の参照番号を付している。
【００３６】
前記熱分解ガスダクト５は、搬出装置３に垂直姿勢で接続され、上端が閉塞された断面形状円形の垂直ダクト５ａと、垂直ダクト５ａの上端部及び溶融燃焼炉４に水平姿勢で夫々接続され、上流側端が閉塞された断面形状円形の水平ダクト５ｆとから構成されている。
又、垂直ダクト５ａは、水平ダクト５ｆよりも可なり大径の煙突型に形成されて居り、仮え内部にダスト等が付着しても閉塞しない構造となっている。
【００３７】
尚、熱分解ガスダクト５は、従来の熱分解ガスダクト５と同様に電気ヒータ（図示省略）により常時４５０℃〜５００℃に加熱されて居り、熱分解ガスダクト５内のタール成分が凝固しないように工夫されている。
【００３８】
この清掃装置１は、上記第１の実施の形態に係る清掃装置１と同様の作用効果を奏することができる。特に、この清掃装置１は、熱分解ガスダクト５を水平構造としている為、ダスト掻き落とし装置６と媒体吹き込み装置７とが一台迄で済み、構造も簡単でコストもかからず、経済的である。
【００３９】
尚、上記各実施の形態に於いては、ダスト掻き落とし装置６及び媒体吹き込み装置７を定期的に作動させて熱分解ガスダクト５内の付着物Ａや堆積物Ａを除去するようにしたが、他の実施の形態に於いては、熱分解ガスダクト５の上流側（例えば乾留熱分解ドラム２内）と熱分解ガスダクト５の下流側（例えば溶融燃焼炉４内）の圧力を検出し、両者の圧力検出値の差が設定値を越えた場合に、ダスト掻き落とし装置６及び媒体吹き込み装置７が夫々自動的に作動するようにしても良い。
【００４１】
上記各実施の形態に於いては、掻き落とし体８をモータ１６やネジ軸１１等から成る駆動装置９により前後進させるようにしたが、他の実施の形態に於いては、掻き落とし体８を油圧シリンダやエアシリンダから成る駆動装置９により前後進させるようにしても良い。
【００４２】
上記各実施の形態に於いては、媒体吹き込み装置７の媒体Ｓに蒸気を使用するようにしたが、他の実施の形態に於いては、媒体吹き込み装置７の媒体Ｓに窒素ガス等の不活性ガスを使用するようにしても良い。
【００４４】
上記第１の実施の形態に於いては、下流側傾斜ダクト５ｃに設けたダスト掻き落とし装置６に媒体吹き込み装置７を設けるようにしたが、他の実施の形態に於いては、下流側傾斜ダクト５ｃに媒体吹き込み装置７を設けるようにしても良い。
【００４５】
上記第２の実施の形態に於いては、ダスト掻き落とし装置６に媒体吹き込み装置７を設けたが、他の実施の形態に於いては、熱分解ガスダクト５の水平ダクト５ｆに媒体吹き込み装置７を設け、水平ダクト５ｆの上流側端部から水平ダクト５ｆ内へ媒体Ｓを吹き込むようにしても良い。
【００４６】
【発明の効果】
上述の通り、本発明の請求項１の清掃装置は、熱分解ガスダクトを垂直ダクトと上流側傾斜ダクトと下流側傾斜ダクトとから構成し、上流側傾斜ダクト及び下流側傾斜ダクトに、ダクト内の付着物や堆積物をダクト外へ移送する熱分解ガスが通過可能なダスト掻き落とし装置を夫々設ける構成としている為、熱分解ガスダクト内のダスト等の付着物や堆積物を自動的に除去することができ、付着物や堆積物による熱分解ガスダクトの閉塞を確実に防止することができる。
又、熱分解ガスタクト側若しくはダスト掻き落とし装置側の何れか一方若しくは両方に、ダクト内へ媒体を吹き込んでダスト掻き落とし装置により掻き落とした付着物や内部に堆積している堆積物を熱分解ガスダクト外へ移送する媒体吹き込み装置を設ける構成としている為、熱分解ガスダクト内の閉塞をより一層確実に防止することができる。
更に、ダスト掻き落とし装置を、ダクト内にその内壁面に内接する状態で回転自在且つ往復動自在に配設され、熱分解ガスや付着物、堆積物が通過可能な開口を備えた円板状に形成された掻き落とし体と、掻き落とし体をダクト内で回転させながらダクトの長手方向に沿って往復動させる駆動装置とから構成している為、ダクト内に付着しているダスト等の付着物を確実に掻き落とすことができると共に、掻き落とした付着物やダクト内に堆積している堆積物を確実に移送することができる。
加えて、ダスト掻き落とし装置の掻き落とし体が、その前面にダクトの内壁面に付着している付着物を破砕して掻き落とす複数の爪を備えている為、ダクト内に強固に付着している付着物であっても、これを簡単且つ容易に破砕して掻き落とすことができる。
その結果、乾留熱分解溶融燃焼装置の連続運転が可能となり、廃棄物をより高能率で溶融処理することが可能になると共に、エネルギー消費量の大幅な削減を図ることができる。然も、ダスト掻き落とし装置が熱分解ガスの流れを止めることがない為、乾留熱分解溶融燃焼装置を運転しながら熱分解ガスダクトの内壁面に付着・堆積した付着物や堆積物を除去することができる。
【００４７】
本発明の請求項２の清掃装置は、上記効果に加えて次のような効果を奏することができる。
即ち、本発明の請求項２の清掃装置は、熱分解ガスダクトを垂直ダクトと水平ダクトとから構成し、水平ダクトにダスト掻き落とし装置を設ける構成としている為、ダスト掻き落とし装置が一台で済み、構造も簡単でコストもかからず、経済的である。
【図面の簡単な説明】
【図１】本発明の第１の実施の形態に係る熱分解ガスダクトの清掃装置を設けた廃棄物の乾留熱分解溶融燃焼装置の一部を示す系統図である。
【図２】本発明の第１の実施の形態に係る清掃装置の概略断面図である。
【図３】清掃装置のダスト掻き落とし装置の概略図である。
【図４】ダスト掻き落とし装置の要部の拡大図である。
【図５】図４のＩ−Ｉ線断面図である。
【図６】本発明の第２の実施の形態に係る熱分解ガスダクトの清掃装置の概略断面図である。
【図７】従前の廃棄物の乾留熱分解溶融燃焼装置の一例を示す全体系統図である。
【符号の説明】
１は清掃装置、２は熱分解ドラム、３は搬出装置、４は溶融燃焼炉、５は熱分解ガスダクト、５ａは垂直ダクト、５ｂは上流側傾斜ダクト、５ｃは下流側傾斜ダクト、５ｆは水平ダクト、６はダスト掻き落とし装置、７は媒体吹き込み装置、８は掻き落とし体、９は駆動装置、Ａは付着物・堆積物、Ｇは熱分解ガス、Ｄは熱分解残渣、Ｓは媒体。
【図１】
0003869593.tif 000002
【図２】
0003869593.tif 000003
【図３】
0003869593.tif 000004
【図４】
0003869593.tif 000005
【図５】
0003869593.tif 000006
【図６】
0003869593.tif 000007
【図７】
0003869593.tif 000008